(57)【要約】      （修正有）【課題】ブリスタ本体に歪みを生じさせることなく、円筒状物品を非回転の状態で収容保持するブリスターパックを提供する。【解決手段】円筒状物品の収容凹部１１をシート片面から膨出した透明樹脂シート製のブリスタ本体１と、該ブリスタ本体１のシート反対面に固定して収納凹部１１との間に円筒状物品の収納空間を形成する台紙２とを備え、収容凹部１１は、円筒状物品の最大径部に見合った深さと幅を有して、当該最大径部を包被する幅部分の対向する二箇所に、収納空間に向かって突出する一対の位置決め用凸部１４が設けられ、当該一対の位置決め用凸部１４は、収容凹部１１の深さ方向に沿って互いに平行して設けられると共に、収容凹部１１には、最大径部の左右二箇所に、一対の位置決め用凸部１４が同時に差し込まれる一対の凹溝３４を有した円筒状物品を収容する。【選択図】図１
0003207856.tif 000002
【実用新案登録請求の範囲】
【請求項１】
円筒状物品の収容凹部をシート片面から膨出した透明樹脂シート製のブリスタ本体と、該ブリスタ本体のシート反対面に固定して前記収納凹部との間に前記円筒状物品の収納空間を形成する台紙とを備え、前記収容凹部は、前記円筒状物品の最大径部に見合った深さと幅を有して、当該最大径部を包被する幅部分の対向する二箇所に、前記収納空間に向かって突出する一対の位置決め用凸部がそれぞれ設けられ、当該一対の位置決め用凸部は、前記収容凹部の深さ方向に沿って互いに平行して設けられると共に、前記収容凹部には、前記最大径部の左右二箇所に、前記一対の位置決め用凸部に対応した一対の凹溝を有した円筒状物品を収容することを特徴としたブリスターパック。
【請求項２】
収容凹部はシート底縁と垂直方向に形成すると共に、その下端部に前記シート底縁まで伸びる脚部を形成し、当該脚部と前記シート底縁を接地して自立可能とした請求項１記載のブリスターパック。
【請求項３】
ブリスタ本体は、収容凹部の上下左右の少なくとも何れかの平面部に透明樹脂シートによる台紙の透視面を有する請求項１または２記載のブリスターパック。
【請求項４】
透視面にはプリズムシート加工を施した請求項３記載のブリスターパック。
【請求項５】
円筒状物品はスプレーボトルである請求項１から４のうち何れか一項記載のブリスターパック。
【考案の詳細な説明】
【技術分野】
【０００１】
この発明は、円筒状物品を非回転の状態で収容保持するブリスターパックに関するものである。
【背景技術】
【０００２】
ブリスターパックは、商品の収容部を形成した透明樹脂製のブリスタ本体と、このブリスタ本体の背面側に収容部を閉塞して固定する台紙とからなり、ブリスタ本体を正面に向けて陳列することで、商品そのものや台紙を透かして視認することができる包装態様である。
【０００３】
ブリスタ本体の収容部は商品の形態に応じて形成され、概ね商品の外形に相似するように形成されるところ、スプレーボトルなどの円筒状物品を一つ収容するのであれば、収容部は断面アーチ形に形成すれば済む。
【０００４】
ところで、商品には商品名やその特長を訴求する印刷等を施した正面が存在し、上述したスプレーボトルなどの円筒状物品も同様であるが、これを上述した断面アーチ形の収容部に収容すると、その内部で円筒状物品が回転してしまい、商品を正面から視認することができなくなる。
【０００５】
そこで、特許文献１では、断面アーチ形（ドーム状）の収容部内に一対のリブを対向して設け、当該一対のリブで円筒状物品を挟み付けることで、そのガタつきや回転を防止すブリスターパックを開示している。
【先行技術文献】
【特許文献】
【０００６】
【特許文献１】特開２００９−１６１１８６号公報
【考案の概要】
【考案が解決しようとする課題】
【０００７】
しかしながら、特許文献１では、円筒状物品の左右表面にリブが当接するだけであり、搬送等の振動によって滑りが生じて、円筒状物品を完全に非回転の状態に保持できない恐れがある。
【０００８】
また、特許文献１においてリブの間隔は円筒状物品の太さ（最大径部）よりも小さいため、円筒状物品の収容時には一対のリブが離間するのに引きつられてブリスタ本体に歪みが生じるといった問題がある。この点、特許文献１では、円筒状物品の収容後、ブリスタ本体に台紙を固定することで当該歪みが矯正されるとあるが、商品（円筒状物品）を取り出すまではブリスタ本体の変形応力は継続するため、経時的に台紙が剥がれやすくなることが想定される。
【０００９】
本考案は上述した課題を解決するためになされたもので、その目的とするところは、ブリスタ本体に歪みを生じさせることなく、円筒状物品を非回転の状態で収容保持するブリスターパックを提供することである。
【課題を解決するための手段】
【００１０】
上述した目的を達成するために本考案では、円筒状物品の収容凹部をシート片面から膨出した透明樹脂シート製のブリスタ本体と、該ブリスタ本体のシート反対面に固定して前記収納凹部との間に前記円筒状物品の収納空間を形成する台紙とを備え、前記収容凹部は、前記円筒状物品の最大径部に見合った深さと幅を有して、当該最大径部を包被する幅部分の対向する二箇所に、前記収納空間に向かって突出する一対の位置決め用凸部がそれぞれ設けられ、当該一対の位置決め用凸部は、前記収容凹部の深さ方向に沿って互いに平行して設けられると共に、前記収容凹部には、前記最大径部の左右二箇所に、前記一対の位置決め用凸部に対応した一対の差し込み用の凹溝を有した円筒状物品を収容するという手段を用いた。
【００１１】
上記手段によれば、ブリスタ本体の収容凹部に円筒状物品を収容することで、互いの位置決め用凸部と凹溝が係合して、台紙を固定した後、当該円筒状物品が収納空間内で回転することが防止される。ここで収容凹部おける円筒状物品の回転防止機能を得るためには、収容凹部は、その深さと幅が円筒状物品の最大径部に見合った寸法を有すること、即ち、円筒状物品の胴部周囲との隙間をできるだけ小さくすることが必要であるが、長さについては特に規定はしない。仮に、収容凹部が円筒状物品の長さよりも相当大きく形成される場合でも、上述した係合状態によって、円筒状物品の軸方向のガタつき（移動）を抑制することができるからである。なお、本考案では、一つの収容凹部に一つの円筒状物品を収容することを予定しているが、パック全体での収容凹部の数は二以上であってよく、その場合、二以上の円筒状物品を一つにパックすることができる。
【００１２】
また、収容凹部はシート底縁と垂直方向に形成すると共に、その下端部に前記シート底縁まで伸びる脚部を形成し、当該脚部と前記シート底縁を接地して自立可能とする。
【００１３】
さらに、ブリスタ本体は、収容凹部の上下左右の少なくとも何れかの平面部に透明樹脂シートによる台紙の透視面を有することが好ましく、この場合、収容凹部に収容した円筒状物品と、台紙に印刷された円筒状物品の名称や特長点を同時に視認することができる。
【００１４】
また、透視面の全部または一部にプリズムシート加工を施すことによって、光の反射や屈折等により、パッケージの審美性と訴求性を高めることができる。
【００１５】
なお、円筒状物品には電池や棒状の物品が該当するが、スプレーボトルであることが好適である。電池等に予め凹溝を形成することは困難であるが、スプレーボトルであれば容易であり、その機能及びボトル内の薬剤等に影響を及ぼすこともない。
【考案の効果】
【００１６】
本考案によれば、スプレーボトルなどの円筒状物品が回転することがなく、その正面を確実に保持できると共に、収容状態においてブリスタ本体等に歪みも生じず、台紙によって確実に収納空間の密封性を保持することができる。
【図面の簡単な説明】
【００１７】
【図１】本考案の一実施形態に係るブリスターパックの分解斜視図
【図２】同、ブリスタ本体の正面図
【図３】同、スプレーボトルの正面図
【図４】同、台紙の正面図
【図５】同、ブリスターパックの正面図
【図６】同、ブリスターパックの要部断面図
【図７】同、ブリスターパックの側面図
【図８】同、ブリスタ本体の要部断面図
【考案を実施するための形態】
【００１８】
以下、本考案の好ましい実施の形態を添付した図面に従って説明する。図１は本考案に係るブリスターパックの分解斜視図であり、図中、１はブリスタ本体、２は台紙、３は内容物として収容対象である円筒状物品であり、本実施形態ではスプレーボトルを例示している。
【００１９】
ブリスタ本体１は、図２にも示したように、透明樹脂シートをシート成形して、矩形状のシート面の片面からスプレーボトル３の収容凹部１１が正面側に膨出するように形成している。この実施形態では、収容凹部１１を上下方向に形成すると共に、シート面の正面右側に偏倚して形成しており、その左側は台紙２に印刷等した文字等の情報を透視する台紙透視面１２としている。
【００２０】
収容凹部１１は、内容物であるスプレーボトル３の胴部（最大径部）に見合った深さと幅を有して、長さも、ほぼスプレーボトル３と一致させており、スプレーボトル３の胴部を包被する幅部分１３の対向する二箇所には、この部分を内向きに窪ませて、先端が当該収容凹部１１の内部に向かって突出する一対の位置決め用凸部１４を設けている。そして、この位置決め用凸部１４は収容凹部１１の深さ方向に沿って互いに平行している。
【００２１】
また、収容凹部１１の下端部はシート底縁と同じ位置まで伸びる脚部１５を設けている。
【００２２】
一方、台紙透視面１２の上半部はフラットな平面部１６とすると共に、その下半部の円形領域にはシート成形時にプリズムシート加工を施してダイヤカット面部１７を形成している。ダイヤカット面部１７は、四角錐を一単位として、図３に示したように、山と谷が連続するように両面をプリズムシート加工されたものである。
【００２３】
なお、１８はブリスタ本体１のシート一角に設けた開封用のツマミ部であり、ブリスタ本体１のシート反対面の周囲に台紙２を接着により固定した場合に当該ツマミ部１８は台紙２と未接着の状態であり、且つ、段折りによって台紙２から浮き上がらせた構造により手指で摘みやすくしており、このツマミ部１８を起点としてブリスタ本体１と台紙２とを引き剥がすことができる。また、１９は本ブリスターパックを吊り下げ陳列する際に使用するフック等の挿通孔である。
【００２４】
台紙２は、板紙等をブリスタ本体１よりも一回り大きい矩形状に裁断したもので、ブリスタ本体１には上述したように、その周囲を接着によって固定する他、ステープラを用いるなど、従来と同様の方法により固定する。そして、その表面の正面左側、即ち、ブリスタ本体１に固定したとき、その台紙透視面１２と重なる領域には、図４に示したように、内容物であるスプレーボトル３の用途や特長などの文字情報２１を印刷等している。また、ブリスタ本体１のダイヤカット面部１７と重なる円形領域には、スプレーボトル３の用途等をより視覚的に訴求するために、図形情報２２を印刷等している。なお、２３はブリスタ本体１の挿通孔１９と対応して設けたフック等の挿通孔である。
【００２５】
スプレーボトル３は、図５に示したように、ボトル本体３１とキャップ３２とからなり、全体として円筒状をなしている。このうち、ボトル本体３１の胴部は当該スプレーボトル３の最大径部をなし、その表面には、当該スプレーボトル３の商品名等を印刷または刻印等した表示部３３を設けている。そして、この表示部３３を正面として、ボトル本体の左右両側には一対の凹溝３４を設けている。この凹溝３４は、スプレーボトル３をブリスタ本体１の収容凹部１１に収容したときに、位置決め用凸部１４が差し込まれる部分である。
【００２６】
上記構成からなるブリスターパックによれば、ブリスタ本体１は全体が透明であるため、収容凹部１１に収容したスプレーボトル３の全体の形態及び表示部３３が透けて視認することができる。これと同時に、ブリスタ本体１の台紙透視面１２には台紙２に印刷等した文字情報２１及び図形情報２２も透かし見ることができる。このうち図形情報２２は、その上面に位置するブリスタ本体１のダイヤカット面部１４が光で反射等して、キラキラとした見え方をする。
【００２７】
また、スプレーボトル３は、図７に示したように、収容凹部１１と台紙２とで形成される収容空間４内において、その両側の凹溝３４に前記収容空間４に迫り出したブリスタ本体１の位置決め用１４が差し込まれた状態にあるため、回転が規制された状態で保持される。したがって、スプレーボトル３の表示部３３を常時、正面側に向けた状態とすることができる。また、この差し込み状態で、一対の位置決め用凸部１４に離間方向等の応力は作用しないので、ブリスタ本体１に歪みも生じない。
【００２８】
さらに、ブリスタ本体１には収納凹部１１の下端部を延成して脚部１５を設けており、該脚部１５は正面側に迫り出して、シート底縁とで平面視略Ｔ字形をなすため、本ブリスターパックを、図８に示したように、自立させることができる。したがって、陳列の際には、上述した吊り下げだけでなく、棚の上に立てて置くこともできる。なお、この自立性は開封後のブリスタ本体１単体でも可能であるため、ブリスタ本体１を縦置きのボトルケースとして使用することも可能である。
【符号の説明】
【００２９】
１  ブリスタ本体
１１  収容凹部
１２  台紙透視面
１３  収容凹部の幅部分
１４  位置決め用凸部
１５  脚部
１６  平面部
１７  ダイヤカット面部
１８  ツマミ部
１９  フック等挿通孔
２  台紙
２１  文字情報
２２  図形情報
３  スプレーボトル
３１  ボトル本体
３２  キャップ
３３  表示部
３４  凹溝
４  収容空間
【図１】
0003207856.tif 000003
【図２】
0003207856.tif 000004
【図３】
0003207856.tif 000005
【図４】
0003207856.tif 000006
【図５】
0003207856.tif 000007
【図６】
0003207856.tif 000008
【図７】
0003207856.tif 000009
【図８】
0003207856.tif 000010